(57)【要約】      （修正有）【課題】片手で簡単にトイレットペーパーを切り取ることができ、交換も容易にできるトイレットペーパーホルダーを提供する。【解決手段】トイレットペーパー８の残量を確認するための窓４を持つ半円柱状の上ホルダー２ａ及びトイレットペーパーを掴みやすいように溝３ａ，ｂ，ｃを設けたガイド板３を正面側に設置した半円柱状の下ホルダー２ｂを合わせ、前記上ホルダー２ａと前記下ホルダー２ｂの背面側の接続位置で接続され、回動して開く中空の本体２と、前記本体の背面側に接続され、左右上留具７ａ，ｂ及び左右下留具７ｃ、ｄで壁に固定される設置板７とからなり、トイレットペーパー１１を前記上下ホルダー２ａ，ｂの間から引き出し、上ホルダー２ａの重みにより押さえ、カッター３ｄで切り取ることを特徴とするトイレットペーパーホルダー１の構成とした。【選択図】  図１
2005296636.tif 000002
【特許請求の範囲】
【請求項１】
トイレットペーパーの残量を確認するための窓を持つ半円柱状の上ホルダー及びトイレットペーパーを掴みやすいように溝を設けたガイド板を正面側に設置した半円柱状の下ホルダーを合わせ、前記上ホルダーと前記下ホルダーの背面側の接続位置で接続され、回動して開く中空の本体と、前記本体の背面側に接続され、左右上留具及び左右下留具で壁に固定される設置板とからなり、内部に入っているトイレットペーパーを前記上下ホルダーの間から引き出し、上ホルダーの重みにより押さえ、カッターで切り取ることを特徴とするトイレットペーパーホルダー。
【請求項２】
上ホルダーに重りを着脱可能に取り付け、トイレットペーパーの厚さが異なっても前記上ホルダーの押さえる力を調整できることを特徴とする請求項１記載のトイレットペーパーホルダー。
【請求項３】
本体を左右に２つ並べて設置板に接続したことを特徴とする請求項１乃至請求項２記載のトイレットペーパーホルダー。
【請求項４】
ガイド板に左端溝又は右端溝のいずれかを設けたことを特徴とする請求項１乃至請求項３に記載のトイレットペーパーホルダー。
【請求項５】
ガイド板に左端溝及び右端溝のいずれかを設けたことを特徴とする請求項１乃至請求項３に記載のトイレットペーパーホルダー。
【請求項６】
ガイド板に条溝を設けたことを特徴とする請求項１乃至５に記載のトイレットペーパーホルダー。
【請求項７】
上ホルダーの左右面をなくしたことを特徴とする請求項１乃至請求項６に記載のトイレットペーパーホルダー。
【発明の詳細な説明】
【技術分野】
【０００１】
本発明は、トイレットペーパーを容易に切り取ることができるトイレットペーパーホルダーに関する発明である。
【背景技術】
【０００２】
従来のトイレットペーパーホルダー１ｆは、図１６に示すように、カバー１０ａの付いたホルダー１０のような構造であり、トイレットペーパー８の芯８ｂに心棒１０ｂを通して、ホルダー１０の左右の心棒受けに固定したものであった。
【０００３】
トイレットペーパー８を切り取る際は、先端８ｃを手で掴んでロール状のペーパー８ａを引っ張っていき、適度な長さのところで、トイレットペーパー８を手で押さえ、カバー１０ａの先端をカッターのようにとして使用していた。
【０００４】
トイレットペーパー８を交換する際は、心棒１０ｂごと芯８ｂをホルダー１０から取り外して、新たなトイレットペーパー８に心棒１０ｂを通して、またホルダー１０の左右の心棒受けに固定する。
【０００５】
また、特許文献１に記載の発明のように、障害者又は高齢者が容易に使用できるようにするため、切断機構を具備した付属装置を取り付け、片手で操作可能としたトイレットペーパーホルダーの発明も公開されている。
【特許文献１】特開２０００−２８７８７４号公報
【発明の開示】
【発明が解決しようとする課題】
【０００６】
しかしながら、トイレットペーパーホルダーは通常、利用者の横側の壁に設置されているため、トイレットペーパー８を押さえるのに両手を使っていると場所によっては不便な場合もある。
【０００７】
また、トイレットペーパーを交換する際、ホルダーから心棒を外して、空のトイレットペーパーを取り除き、新しいトイレットペーパーを通し直していたのでは、手間が掛かってしまう。
【０００８】
そこで、本発明は、片手で簡単にトイレットペーパーを切り取ることができ、交換も容易にできるトイレットペーパーホルダーを提供することを目的とするものである。
【課題を解決するための手段】
【０００９】
本発明は、上記の課題を解決するために、トイレットペーパーの残量を確認するための窓を持つ半円柱状の上ホルダー及びトイレットペーパーを掴みやすいように複数の溝を設けたガイド板を正面側に設置した半円柱状の下ホルダーを合わせ、前記上ホルダーと前記下ホルダーの背面側の接続位置で接続され、回動して開く中空の本体と、前記本体の背面側に接続され、左右上留具及び左右下留具で壁に固定される設置板とからなり、内部に入っているトイレットペーパーを前記上下ホルダーの間から引き出し、上ホルダーの重みにより押さえ、カッターで切り取ることを特徴とするトイレットペーパーホルダーと、トイレットペーパーを掴みやすいようにガイド板に条溝を設けたトイレットペーパーホルダーと、トイレットペーパーの残量確認と交換を容易にした左右面のない上ホルダーを使用したトイレットペーパーホルダーの構成とした。
【発明の効果】
【００１０】
本発明は、以上の構成であるから以下の効果が得られる。第１に、トイレットペーパーがトイレットペーパーホルダー本体の内部に収納されるので、外部から水分や汚れ等が付着しづらく、公衆トイレなどのような場所でも衛生的に使用することができる。
【００１１】
第２に、本体がトイレットペーパーと同じ円柱状をしているので、トイレットペーパーの収まりが良く、引き出す際も回転しやすい。トイレットペーパーをスムーズに引き出すことができる。
【００１２】
第３に、従来のトイレットペーパーホルダーのようにカバーや心棒を備えていないので、トイレットペーパーを引き出す際のカラカラという音も発生させずに済み、周囲を気にせずに使用することができる。
【００１３】
第４に、トイレットペーパーが本体の内部に収納されていても、上ホルダーには窓が付いているので、トイレットペーパーの残量が確認できる。残量が確認できれば、無くなる前に補充しておくができる。
【００１４】
第５に、下ホルダーに設置されているガイド板には中央及び左右に溝が設けられており、トイレットペーパーの先端が掴みやすくなっているので、使用者は容易にトイレットペーパーを引き出すことができる。
【００１５】
第６に、トイレットペーパーは、上ホルダーの重みにより押さえられるので、片手でも簡単にカッターで切り取ることができる。トイレットペーパー自体に一定間隔ごとのミシン目が入っていれば、トイレットペーパーの切り取りがより容易になる。
【００１６】
第７に、トイレットペーパーを交換する際は、上ホルダーを回動させて開き、空になった芯と入れ替えるだけで良いので、従来のように心棒を通し直してホルダーに嵌め込む等の面倒な手間は掛からないで済む。
【００１７】
第８に、上ホルダーに重りを着脱可能に取り付けられるようにしたことで、トイレットペーパーの厚さが異なる場合でも、上ホルダーの重さを変えて、トイレットペーパーを押さえる力を調整することができる。
【００１８】
第９に、本体を２つ並べたトイレットペーパーホルダーとすることで、トイレットペーパーをストックしておくことができ、交換するまでの期間が長くなって、利用者も安心して使用することができる。
【発明を実施するための最良の形態】
【００１９】
トイレットペーパーはミシン目が入っているものや複数枚重ねた状態で巻かれているものなど様々なものが存在するが、いずれの場合のトイレットペーパーにおいても使用することができる。
【実施例１】
【００２０】
以下に、添付図面に基づいて、本発明であるトイレットペーパーホルダーについて詳細に説明する。
【００２１】
図１は本発明であるトイレットペーパーホルダーの斜視図、図２は本発明であるトイレットペーパーホルダーの正面図、図３は本発明であるトイレットペーパーホルダーの平面図、図４は本発明であるトイレットペーパーホルダーの側面図である。
【００２２】
本発明であるトイレットペーパーホルダー１は、トイレットペーパー８の残量を確認するための窓４を持つ半円柱状の上ホルダー２ａ及びトイレットペーパー８を掴みやすいように中溝３ａ及び左右溝３ｂ、３ｃを設けたガイド板３を正面側に設置した半円柱状の下ホルダー２ｂを合わせ、前記上ホルダー２ａと前記下ホルダー２ｂの背面側の接続位置で接続され、回動して開く中空の本体２と、前記本体２の背面側に接続され、左右上留具７ａ、７ｂ及び左右下留具７ｃ、７ｄで壁に固定される設置板７とからなり、内部２ｄに入っているトイレットペーパー８を前記上下ホルダー２ａ、２ｂの間から引き出し、上ホルダー２ａの重みにより押さえ、カッター３ｄで切り取ることを特徴とする。
【００２３】
トイレットペーパーホルダー１において主要な箇所である本体２は、トイレットペーパー８を一回り大きくしたサイズで、トイレットペーパー８と同じ円柱を横にした形状をしており、トイレットペーパー８を内部２ｄに収納するため中空となっている。
【００２４】
本体２は、合わせ面２ｃにおいて、横に上下半分にするように上ホルダー２ａと下ホルダー２ｂに分かれるが、背面側の接続位置２ｅにおいてのみ上下ホルダー２ａ、２ｂは接続されており、正面側から回動させて開くことにより、新しいトイレットペーパー８を収納したり、空になった芯８ｂを取り出したりする。
【００２５】
本体２の側面の円の箇所においては、中心に楕円状の孔があり、左側面にある孔を左窓４ａ、右側面にある孔を右窓４ｂとする。左窓４ａ及び右窓４ｂは、本体２の内部２ｄを確認することができる。
【００２６】
上ホルダー２ａは、本体２の上側の可動な部分である。正面側寄りの円周上には窓４が空いており、本体２の内部２ｄを確認できる。正面側の端は、トイレットペーパー８を押さえるための押さえ５が設けられている。また、窓４の左右には左重り６及び右重り６ａが着脱可能となっている。
【００２７】
窓４は、本体２の内部２ｄを見られるように上ホルダー２ａに設けられた長方形状の孔である。窓４によりトイレットペーパー８の残量を確認でき、無くなる前に補充の手配をするための目安になる。
【００２８】
押さえ５は、トイレットペーパー８を押さえ付けて切りやすくするためのもので、上ホルダー２ａの正面側の端が下ホルダー２ｂよりも若干前に出ており、ガイド板３と挟み込むようにして押さえる。
【００２９】
左右重り６、６ａは、上ホルダー２ａに取り付けて、上ホルダー２ａがトイレットペーパー８を押さえる力を調整するためのもので、トイレットペーパー８に厚さに応じて交換することができる。
【００３０】
下ホルダー２ｂは、本体２の下側のトイレットペーパー８が置かれる部分である。正面側の端には、ガイド板３が取り付けられている。背面側の端においては、設置板７と接続されている。
【００３１】
ガイド板３は、本体２の内部２ｄから出たトイレットペーパー８の先端８ｃを置いておくための板であり、下ホルダー２ｂの正面側の端に沿って固定されている。ガイド板３の前面には、若干へこませた中溝３ａ、左溝３ｂ及び右溝３ｃが存在し、溝のない箇所においては上面がカッター３ｄになっている。
【００３２】
中溝３ａ及び左右溝３ｂ、３ｃは、ガイド板３の前面に指の幅程度に半円上に窪ませた孔であり、ガイド板３上に出ているトイレットペーパー８の先端８ｃを指で摘みやすいように設けられたものである。
【００３３】
カッター３ｄは、トイレットペーパー８を切り取るためのものだが、手を傷つけないためにも鋭い刃である必要はない。上ホルダー２ａの重みによりトイレットペーパー８が押さえられるので、トイレットペーパー８を切りやすくするためのものである。
【００３４】
溝の数は常に３つである必要はなく、中溝３ａのみにしたり、左右溝３ｂ、３ｃのみにしても構わない。同様にカッター３ｄについても、端のみに設けたり、端付近だけ切れやすいものにしても良い。
【００３５】
設置板７は、壁等にトイレットペーパーホルダー１を取り付けるための板である。上側の左右２箇所には左上留具７ａ及び右上留具７ｂ、下側の左右２箇所には左下留具７ｃ及び右下留具７ｄがある。
【００３６】
左右上留具７ａ、７ｂ及び左右下留具７ｃ、７ｄは、設置板７を壁などに固定するためのもので、ネジ等が用いられる。四隅を固定するのは一例であり、本体２を直接壁に取り付けたり、本体２を壁と一体として設置するなどの場合もある。
【００３７】
図５は、本発明であるトイレットペーパーホルダーを開いた状態を示す斜視図である。トイレットペーパーホルダー１は中空の容器であり、中にトイレットペーパー８を収納することができる。
【００３８】
トイレットペーパーホルダー１の本体２は、正面側から上ホルダー２ａを回動９させることで開くことができる。上ホルダー２ａと下ホルダー２ｂは合わせ面２ｃにおいて分かれるが、背面側の接続位置２ｅにおいてのみ接続されている。
【００３９】
トイレットペーパー８が無くなった場合には、トイレットペーパーホルダー１を開いて空のトイレットペーパー８を出し、新しいトイレットペーパー８を内部２ｄに置いて、トイレットペーパーホルダー１を閉める。
【００４０】
図６は、本発明であるトイレットペーパーホルダーのトイレットペーパーを入れた状態を示す斜視図である。トイレットペーパーホルダー１には心棒等はなく、本体２を開けたら、そのまま内部２ｄにトイレットペーパー８を置けば良い。
【００４１】
トイレットペーパー８が置かれる下ホルダー２ｂは、円柱を半分に割った形状をしているので、底がトイレットペーパー８の形状に合っており、トイレットペーパー８が回転しやすくなっている。ペーパー８ａを引いた際に、中から飛び出してしまったり、途中で切れてしまうことが少ない。
【００４２】
トイレットペーパー８を入れたら、先端８ｃを上ホルダー２ａと下ホルダー２ｂの間を通すように出す。ペーパー８ａを適度に引き出したら、上ホルダー２ａの押さえ５によりペーパー８ａを押さえる。
【００４３】
図７は、本発明であるトイレットペーパーホルダーのトイレットペーパーを押さえた際の斜視図である。ペーパー８ａは、上ホルダー２ａと下ホルダー２ｂに挟まれて押さえられているので、ペーパー８ａを切りやすくなる。
【００４４】
開いていた上ホルダー２ａを元の位置に倒すと、押さえ５によりペーパー８ａは押さえられる。押さえ５は、下ホルダー２ｂよりも若干前に出ており、ガイド板３との間に挟むことにより、ペーパー８ａを固定する。
【００４５】
ペーパー８ａに厚さがある場合は、左右重り６、６ａを取り付けることで押さえる力を調節できる。押さえ５自体を摩擦力の大きい素材にすれば、左右重り６、６ａで重くしなくても押さえることができる。
【００４６】
図８は、本発明であるトイレットペーパーホルダーのトイレットペーパーを切り取る際の斜視図である。ペーパー８ａをガイド板３に付いているカッター３ｄに当てることで、簡単に切り取ることができる。
【００４７】
ペーパー８ａは、押さえ５により押さえられているので、切るために力を加えても、トイレットペーパー８が動いてしまうことはない。トイレットペーパー８を押さえるのに手を使わずに済むので、片手で切り取ることが可能となる。
【００４８】
ペーパー８ａは、左端又は右端に切れ目８ｅが入れば、勢いでそのまま切ってしまうことができるが、ガイド板３から上に突起状に出ているカッター３ｄが切れ目８ｅのガイドとしての役割も果たす。
【００４９】
図９は、本発明であるトイレットペーパーホルダーのトイレットペーパーを切り取った後の状態を示す斜視図である。トイレットペーパー８は、カッター３ｄにより切り取ることができる。
【００５０】
ペーパー８ａを切れ目８ｅに沿ってカッター３ｄで切り取ると、切取片８ｄとして使用することができる。カッター３ｄを利用しているので、切れ目８ｅが雑になってしまうことが少ない。
【００５１】
トイレットペーパー８の先端８ｃは、カッター３ｄの位置に来ているので、ガイド板３の中溝３ａ又は左右溝３ｂ、３ｃにより先端８ｃがつまみやすくなっており、次のペーパー８ａを容易に引き出すことができる。
【実施例２】
【００５２】
図１０は、本発明であるトイレットペーパーホルダーを２つ並べて使用する場合を示す斜視図である。１枚の設置板７に２つの本体２を設けてトイレットペーパーホルダー１ａとしたものである。
【００５３】
各本体２は、１つの場合と同様に使用するが、片方のトイレットペーパー８が無くなってしまっても、補充するまでの間はもう片方のトイレットペーパー８で間に合わせることができ、ストック的な役割を果たす。
【００５４】
使用可能なトイレットペーパー８が２つ分あるので、１つの場合に比べ、無くなるまでの期間が長くなり、利用する側にとっても安心して使用できる。交換する際も同時に無くならない限り余裕を持って行うことができる。
【００５５】
以上のように、本発明であるトイレットペーパーホルダー１は、トイレットペーパー８が本体２の内部２ｄに収納されるので、外部から水分や汚れ等が付着しづらく、公衆トイレなどのような場所でも衛生的に使用することができる。
【００５６】
本体２がトイレットペーパー８と同じ円柱状をしているので、トイレットペーパー８の収まりが良く、引き出す際も回転しやすい。トイレットペーパー８をスムーズに引き出すことができる。
【００５７】
従来のトイレットペーパーホルダー１ｂのようにカバー１０ａや心棒１０ｂを備えていないので、トイレットペーパー８を引き出す際のカラカラという音も発生させずに済み、周囲を気にせずに使用することができる。
【００５８】
トイレットペーパー８が本体２の内部２ｄに収納されていても、上ホルダー２ａには窓４が付いているので、トイレットペーパー８の残量が確認できる。残量が確認できれば、無くなる前に補充しておくができる。
【００５９】
下ホルダー２ｂに設置されているガイド板３には中溝３ａ及び左右溝３ｂ、３ｃが設けられており、トイレットペーパー８の先端８ｃが掴みやすくなっているので、使用者は容易にトイレットペーパー８を引き出すことができる。
【００６０】
トイレットペーパー８は、上ホルダー２ａの重みにより押さえられるので、片手でも簡単にカッター３ｄで切り取ることができる。トイレットペーパー８自体に一定間隔ごとのミシン目が入っていれば、トイレットペーパー８の切り取りがより容易になる。
【００６１】
トイレットペーパー８を交換する際は、上ホルダー２ａを回動９させて開き、空になった芯８ｂと入れ替えるだけで良いので、従来のように心棒１０ｂを通し直してホルダー１０に嵌め込む等の面倒な手間は掛からないで済む。
【００６２】
上ホルダー２ａに左右重り６、６ａを着脱可能に取り付けられるようにしたことで、トイレットペーパー８の厚さが異なる場合でも、上ホルダー２ａの重さを変えて、トイレットペーパー８を押さえる力を調整することができる。
【００６３】
本体２を２つ並べたトイレットペーパーホルダー１ａとすることで、トイレットペーパー８をストックしておくことができ、交換するまでの期間が長くなって、利用者も安心して使用することができる。
【実施例３】
【００６４】
図１１は、本発明であるトイレットペーパーホルダーの第３実施例の斜視図である。図１１に示すように、本例のトイレットペーパーホルダー１ｂは、上部にトイレットペーパーの残量を確認するための窓４と着脱可能な左右重り６、６ａを有し左右側面板２ｆ、２ｇを形成した半円柱状の上ホルダー２ａと、中溝３ａ及び左右溝３ｂ、３ｃと左端溝１１及び右端溝１１ａを設けたガイド板３を正面側に設置した半円柱状の下ホルダー２ｂを合わせ、前記上ホルダー２ａと前記下ホルダー２ｂの背面側に設けられた支軸１２に接続され回動して開く中空の本体２と、前記本体２の背面側に設けられた支軸１２に接続され左右上留具７ａ、７ｂ及び左右下留具７ｃ、７ｄで壁に固定される設置板７とからなり、内部２ｄに入るトイレットペーパーを前記上下ホルダー２ａ、２ｂの間から引き出し、上ホルダー２ａ先端に設けられた押さえ５で固定しカッター３ｄで切り取ることを特徴とする。ガイド板３には、左端溝１１又は右端溝１１ａのいずれかを設けてもよい。
【００６５】
図１１に示すように、本発明であるトイレットペーパーホルダー１ｂでは、ガイド板３の正面に中溝３ａ及び左右溝３ｂ、３ｃを設け、更にガイド板３の側面に左右端溝１１、１１ａを設けたことにより、いずれかの溝を利用してトイレットペーパーを摘み、容易に引き出すことができるようになった。
【実施例４】
【００６６】
図１２は本発明であるトイレットペーパーホルダーの第４実施例の斜視図である。図１２に示すように、トイレットペーパーホルダー１ｃは、上部にトイレットペーパーの残量を確認するための窓４と着脱可能な左右重り６、６ａを有し左右側面板２ｆ、２ｇを形成した半円柱状の上ホルダー２ａと中溝３ａ及び左右溝３ｂ、３ｃと基部に半円形の条溝１３を設けたガイド板３を正面側に設置した半円柱状の下ホルダー２ｂを合わせ、前記上ホルダー２ａと前記下ホルダー２ｂの背面側に設けられた支軸１２に接続され回動して開く中空の本体２と、前記本体２の背面側に設けられた支軸１２に接続され左右上留具７ａ、７ｂ及び左右下留具７ｃ、７ｄで壁に固定される設置板７とからなり、内部２ｄに入るトイレットペーパーを前記上下ホルダー２ａ、２ｂの間から引き出し、上ホルダー２ａ先端に設けられた押さえ５で固定しカッター３ｄで切り取ることを特徴とする。
【００６７】
図１２に示すように、本発明であるトイレットペーパーホルダー１ｃでは、ガイド板３の正面に中溝３ａ及び左右溝３ｂ、３ｃを設け、更にガイド板３の横幅と同じ長さの条溝１３を設けたことで、前記中溝３ａ又は左右溝３ｂ、３ｃのいずれかを利用してトイレットペーパーを容易に摘み、引き出すことができ、更にトイレットペーパーが途中で切れガイド板３の先端の溝を使用して摘むことができない場合に条溝１３を利用してトイレットペーパーを容易に摘むことができるようになった。
【実施例５】
【００６８】
図１３は本発明であるトイレットペーパーホルダーの第５実施例の斜視図である。図１３に示すように、トイレットペーパーホルダー１ｄは、上部にトイレットペーパーの残量を確認するための窓４と着脱可能な左右重り６、６ａを有し左右側面板２ｆ、２ｇを形成した半円柱状の上ホルダー２ａと中溝３ａ及び左右溝３ｂ、３ｃ、左端溝１１及び右端溝１１ａと基部に半円形の条溝１３を設けたガイド板３を正面側に設置した半円柱状の下ホルダー２ｂを合わせ、前記上ホルダー２ａと前記下ホルダー２ｂの背面側に設けられた支軸１２に接続され回動して開く中空の本体２と、前記本体２の背面側に設けられた支軸１２に接続され左右上留具７ａ、７ｂ及び左右下留具７ｃ、７ｄで壁に固定される設置板７とからなり、内部２ｄに入るトイレットペーパーを前記上下ホルダー２ａ、２ｂの間から引き出し、上ホルダー２ａ先端に設けられた押さえ５で固定しカッター３ｄで切り取ることを特徴とする。
【００６９】
図１３に示すように、本発明であるトイレットペーパーホルダー１ｄでは、ガイド板３の正面に中溝３ａ及び左右溝３ｂ、３ｃを設け、側面に左右端溝１１、１１ａを設け、更にガイド板３の横幅と同じ名川の条溝１３を設けたことで、前記中溝３ａ、左右溝３ｂ、３ｃ又は左右端溝１１、１１ａのいずれかを利用してトイレットペーパーを容易に摘み、引き出すことができ、更にトイレットペーパーが途中で切れ前記各溝を使用して摘むことができない場合に、条溝１３を利用してトイレットペーパーを容易に摘むことができるようになった。
【００７０】
図１４は本発明であるトイレットペーパーホルダーの第５実施例の左側面図である。図１４に示すように、トイレットペーパーホルダー１ｄは、設置板７と本体２の間に設けた支軸１２により、上ホルダー２ａが上へ回動して開く仕組みになっている。
【実施例６】
【００７１】
図１５は本発明であるトイレットペーパーホルダーの第６実施例の斜視図である。図１５に示すように、トイレットペーパーホルダー１ｅは、上部にトイレットペーパーの残量を確認するための窓４と着脱可能な左右重り６、６ａを有した左右面のない湾曲状の上ホルダー２ａと左右溝３ｂ、３ｃ、左端溝１１及び右端溝１１ａと基部に半円形の条溝１３を設けたガイド板３を正面側に設置した半円柱状の下ホルダー２ｂを合わせ、前記上ホルダー２ａと前記下ホルダー２ｂの背面側に設けられた支軸１２に接続され回動して開く中空の本体２と、前記本体２の背面側に設けられた支軸１２に接続され左右上留具７ａ、７ｂ及び左右下留具７ｃ、７ｄで壁に固定される設置板７とからなり、内部２ｄに入るトイレットペーパーを前記上下ホルダー２ａ、２ｂの間から引き出し、上ホルダー２ａ先端に設けられた押さえ５で固定しカッター３ｄで切り取ることを特徴とする。
【００７２】
図１５に示すように、本発明であるトイレットペーパーホルダー１ｅでは、上ホルダー２ａの左右側面がなく内部２ｄの様子を容易に確認することができ、更にトイレットペーパーの交換の際も容易に上ホルダー２ａを開くことができ、トイレットペーパーの交換を容易に済ませることができる。
【００７３】
また、ガイド板３の正面に左右溝３ｂ、３ｃ、側面に左右端溝１１、１１ａを設け、更にガイド板３の横幅と同じ名川の条溝１３を設けたことで、前記左右溝３ｂ、３ｃ、左右端溝１１、１１ａのいずれかを利用してトイレットペーパーを容易に摘み、引き出すことができ、更にトイレットペーパーが途中で切れ前記各溝を使用して摘むことができない場合に、条溝１３を利用してトイレットペーパーを容易に摘むことができる。尚、ガイド板３に正面には前記トイレットペーパーホルダー１ｂ、１ｃ、１ｄと同様に中溝３ａを設けても良い。
【産業上の利用可能性】
【００７４】
トイレットペーパー以外にもロール状に巻いたもの、例えばビニール袋などに対しても応用できる。
【図面の簡単な説明】
【００７５】
【図１】本発明であるトイレットペーパーホルダーの斜視図である。
【図２】本発明であるトイレットペーパーホルダーの正面図である。
【図３】本発明であるトイレットペーパーホルダーの平面図である。
【図４】本発明であるトイレットペーパーホルダーの側面図である。
【図５】本発明であるトイレットペーパーホルダーを開いた状態を示す斜視図である。
【図６】本発明であるトイレットペーパーホルダーのトイレットペーパーを入れた状態を示す斜視図である。
【図７】本発明であるトイレットペーパーホルダーのトイレットペーパーを押さえた際の斜視図である。
【図８】本発明であるトイレットペーパーホルダーのトイレットペーパーを切り取る際の斜視図である。
【図９】本発明であるトイレットペーパーホルダーのトイレットペーパーを切り取った後の状態を示す斜視図である。
【図１０】本発明であるトイレットペーパーホルダーを２つ並べて使用する第２実施例を示す斜視図である。
【図１１】本発明であるトイレットペーパーホルダーの第３実施例の斜視図である。
【図１２】本発明であるトイレットペーパーホルダーの第４実施例の斜視図である。
【図１３】本発明であるトイレットペーパーホルダーの第５実施例の斜視図である。
【図１４】本発明であるトイレットペーパーホルダーの第５実施例の左側面図である。
【図１５】本発明であるトイレットペーパーホルダーの第６実施例の斜視図である。
【図１６】従来のトイレットペーパーホルダーの斜視図である。
【符号の説明】
【００７６】
１        トイレットペーパーホルダー
１ａ      トイレットペーパーホルダー
１ｂ      トイレットペーパーホルダー
１ｃ      トイレットペーパーホルダー
１ｄ      トイレットペーパーホルダー
１ｅ      トイレットペーパーホルダー
１ｆ      トイレットペーパーホルダー
２        本体
２ａ      上ホルダー
２ｂ      下ホルダー
２ｃ      合わせ面
２ｄ      内部
２ｅ      接続位置
２ｆ      左側面板
２ｇ      右側面板
３        ガイド板
３ａ      中溝
３ｂ      左溝
３ｃ      右溝
３ｄ      カッター
４        窓
４ａ      左窓
４ｂ      右窓
５        押さえ
６        左重り
６ａ      右重り
７        設置板
７ａ      左上留具
７ｂ      右上留具
７ｃ      左下留具
７ｄ      右下留具
８        トイレットペーパー
８ａ      ペーパー
８ｂ      芯
８ｃ      先端
８ｄ      切取片
８ｅ      切れ目
９        回動
１０        ホルダー
１０ａ      カバー
１０ｂ      心棒
１１        左端溝
１１ａ      右端溝
１２        支軸
１３        条溝
【図１】
2005296636.tif 000003
【図２】
2005296636.tif 000004
【図３】
2005296636.tif 000005
【図４】
2005296636.tif 000006
【図５】
2005296636.tif 000007
【図６】
2005296636.tif 000008
【図７】
2005296636.tif 000009
【図８】
2005296636.tif 000010
【図９】
2005296636.tif 000011
【図１０】
2005296636.tif 000012
【図１１】
2005296636.tif 000013
【図１２】
2005296636.tif 000014
【図１３】
2005296636.tif 000015
【図１４】
2005296636.tif 000016
【図１５】
2005296636.tif 000017
【図１６】
2005296636.tif 000018